(57)【要約】      （修正有）【課題】野菜や果物等の物品から発散されるエチレンガスを多く吸着して熟成を抑制し、また、これらの物品及びその周囲に存在する微生物や菌を、分解・除去して、物品の鮮度を長期間維持することが可能な光触媒を用いた物品の老化防止輸送用容器を提供する。【解決手段】物品１０を収納可能で、遮光性を備えた箱本体１と、箱本体１内部で物品１０を支持する支持部材２と、表面に光に不活性な無機物で部分的に被覆してなる被覆光触媒粒子を担持した、微細孔構造を備えた多孔質物質３と、被覆光触媒粒子に照射可能な位置に配置された、所定波長の光を発する光触媒照射光源４とを有する。支持部材２は、物品１０を下方から固定するための凹部２ａを有し、被覆光触媒粒子は、箱本体１の内壁の上面、内壁の側面１ｂにおける支持部材２の凹部２ａよりも上側の部位、支持部材２の所定の面の少なくともいずれかに配置されている。【選択図】図２
0003115187.tif 000002
【実用新案登録請求の範囲】
【請求項１】
物品を収納可能で、遮光性を備えた箱本体と、
前記箱本体内部において前記物品を支持する支持部材と、
前記箱本体の内壁及び前記支持部材の、少なくともいずれかの所定箇所に設けられた、表面に光に不活性な無機物で部分的に被覆してなる被覆光触媒粒子を担持した、微細孔構造を備えた多孔質物質と、
前記箱本体内部における前記被覆光触媒粒子に照射可能な位置に配置された、所定波長の光を発する光触媒照射光源と、
を有してなることを特徴とする光触媒を用いた物品の老化防止輸送用容器。
【請求項２】
物品を収納可能な箱本体と、
前記箱本体内部において前記物品を支持する支持部材と、
前記箱本体の内壁及び前記支持部材の、少なくともいずれかの所定箇所に設けられた、表面に光に不活性な無機物で部分的に被覆してなる被覆光触媒粒子と、
前記箱本体内部における前記被覆光触媒粒子に照射可能な位置に配置された、所定波長の光を発する光触媒照射光源と、
を有してなることを特徴とする光触媒を用いた物品の老化防止輸送用容器。
【請求項３】
前記支持部材が、前記物品を下方から固定するための凹部を有し、
前記被覆光触媒粒子が、前記箱本体の内壁の上面、前記箱本体の内壁の側面における、前記支持部材の前記凹部よりも上側の部位、前記支持部材に現れる所定の面のうちの、少なくともいずれかの面に配置されていることを特徴とする請求項１又は２に記載の光触媒を用いた物品の老化防止輸送用容器。
【請求項４】
前記支持部材が、前記物品を下方から固定するための凹部を有し、且つ、前記箱本体に収納した状態において該箱本体との間に空間ができるような形状に形成された肉薄の透明な多孔質部材で構成されていることを特徴とする請求項１〜３のいずれかに記載の光触媒を用いた物品の老化防止輸送用容器。
【請求項５】
前記支持部材が、前記物品を下方から固定するための凹部を有し、且つ、前記箱本体に密着した状態で収納されるように形成された中空で肉薄の透明な多孔質部材で構成されていることを特徴とする請求項１〜３のいずれかに記載の光触媒を用いた物品の老化防止輸送用容器。
【請求項６】
前記支持部材が、前記物品を下方から固定するための凹部を有し、且つ、前記箱本体に密着した状態で収納されるように形成された樹脂製発泡体で構成されていることを特徴とする請求項１〜３のいずれかに記載の光触媒を用いた物品の老化防止輸送用容器。
【請求項７】
前記支持部材が、前記物品を下方から固定するための凹部を有し、且つ、前記箱本体に密着した状態で収納されるように形成された透明なスポンジ状の成形体で構成されていることを特徴とする請求項１〜３のいずれかに記載の光触媒を用いた物品の老化防止輸送用容器。
【請求項８】
さらに、表面に光に不活性な無機物で部分的に被覆してなる被覆光触媒粒子を担持した、微細孔構造を備えた多孔質物質を、前記支持部材を構成する前記透明なスポンジ状の成形体の内部に備えたことを特徴とする請求項７に記載の光触媒を用いた物品の老化防止輸送用容器。
【請求項９】
さらに、表面に光に不活性な無機物で部分的に被覆してなる被覆光触媒粒子を、前記支持部材を構成する前記透明なスポンジ状の成形体の内部に備えたことを特徴とする請求項７に記載の光触媒を用いた物品の老化防止輸送用容器。
【請求項１０】
前記被覆光触媒粒子が、前記箱本体の内壁における、前記支持部材の前記凹部を隔てた上方及び下方の両側に位置する面に配置されていることを特徴とする請求項４、５、７〜９のいずれかに記載の光触媒を用いた物品の老化防止輸送用容器。
【請求項１１】
前記光触媒照射光源が、前記箱本体の内壁における、前記支持部材の前記凹部を隔てた下方及び上方の両側に位置する面に配置されていることを特徴とする請求項４、５、７〜１０のいずれかに記載の光触媒を用いた物品の老化防止輸送用容器。
【請求項１２】
さらに、前記物品を上方から固定するための第２の凹部を有する第２の支持部材を有し、
前記第２の支持部材が、前記箱本体に収納した状態において該箱本体との間に空間ができるような形状に形成された肉薄の透明な多孔質部材で構成されていることを特徴とする請求項４〜１１のいずれかに記載の光触媒を用いた物品の老化防止輸送用容器。
【請求項１３】
さらに、前記物品を上方から固定するための第２の凹部を有する第２の支持部材を有し、
前記第２の支持部材が、前記箱本体に密着した状態で収納されるように形成された中空で肉薄の透明な多孔質部材で構成されていることを特徴とする請求項４〜１１のいずれかに記載の物品の状態保存用容器。
【請求項１４】
さらに、前記物品を上方から固定するための第２の支持部材を有し、
前記第２の支持部材が、透明な多孔質シート部材で構成されていることを特徴とする請求項４〜１１のいずれかに記載の光触媒を用いた物品の老化防止輸送用容器。
【請求項１５】
さらに、表面に光に不活性な無機物で部分的に被覆してなる被覆光触媒粒子を担持した、微細孔構造を備えた多孔質物質を、前記第２の支持部材における所定の面に備えたことを特徴とする請求項１２〜１４のいずれかに記載の光触媒を用いた物品の老化防止輸送用容器。
【請求項１６】
さらに、表面に光に不活性な無機物で部分的に被覆してなる被覆光触媒粒子を、前記第２の支持部材における所定の面に備えたことを特徴とする請求項１２〜１４のいずれかに記載の光触媒を用いた物品の老化防止輸送用容器。
【請求項１７】
さらに、前記物品を上方から固定するための第２の凹部を有する第２の支持部材を有し、
前記第２の支持部材が、前記箱本体に密着した状態で収納されるように形成された透明なスポンジ状の成形体で構成されていることを特徴とする請求項４〜１１のいずれかに記載の光触媒を用いた物品の老化防止輸送用容器。
【請求項１８】
さらに、表面に光に不活性な無機物で部分的に被覆してなる被覆光触媒粒子を担持した、微細孔構造を備えた多孔質物質を、前記第２の支持部材を構成する前記透明なスポンジ状の成形体の内部に備えたことを特徴とする請求項１７に記載の光触媒を用いた物品の老化防止輸送用容器。
【請求項１９】
さらに、表面に光に不活性な無機物で部分的に被覆してなる被覆光触媒粒子を、前記第２の支持部材を構成する前記透明なスポンジ状の成形体の内部に備えたことを特徴とする請求項１７に記載の光触媒を用いた物品の老化防止輸送用容器。
【請求項２０】
さらに、前記物品を上方から固定するための第２の凹部を有する第２の支持部材を有し、
前記第２の支持部材が、前記箱本体に密着した状態で収納されるように形成された透明な網目状構造体で構成されていることを特徴とする請求項４〜１１のいずれかに記載の光触媒を用いた物品の老化防止輸送用容器。
【請求項２１】
さらに、表面に光に不活性な無機物で部分的に被覆してなる被覆光触媒粒子を担持した、微細孔構造を備えた多孔質物質を、前記第２の支持部材を構成する前記透明な網目状構造体の内部に備えたことを特徴とする請求項２０に記載の光触媒を用いた物品の老化防止輸送用容器。
【請求項２２】
さらに、表面に光に不活性な無機物で部分的に被覆してなる被覆光触媒粒子を、前記第２の支持部材を構成する前記透明な網目状構造体の内部に備えたことを特徴とする請求項２０に記載の光触媒を用いた物品の老化防止輸送用容器。
【請求項２３】
さらに、前記物品を上方から固定するための第２の支持部材を有し、
前記第２の支持部材が、前記箱本体の内壁における、前記支持部材の前記凹部を隔てた上方に位置する面に配置されている前記光触媒照射光源からの光を取り込む入射端面を有するとともに、側面で前記支持部材に支持された物品を上方から押えることが可能な所定の長さでランダムに配置された光ファイバーと、前記光ファイバーを収納するメッシュ状部材とで構成されていることを特徴とする請求項４〜１１のいずれかに記載の光触媒を用いた物品の老化防止輸送用容器。
【請求項２４】
さらに、表面に光に不活性な無機物で部分的に被覆してなる被覆光触媒粒子を担持した、微細孔構造を備えた多孔質物質を、前記第２の支持部材を構成する前記光ファイバーに備えたことを特徴とする請求項２３に記載の光触媒を用いた物品の老化防止輸送用容器。
【請求項２５】
さらに、表面に光に不活性な無機物で部分的に被覆してなる被覆光触媒粒子を、前記第２の支持部材を構成する前記光ファイバーに備えたことを特徴とする請求項２３に記載の光触媒を用いた物品の老化防止輸送用容器。
【請求項２６】
さらに、前記箱本体の内壁における、前記支持部材の前記凹部を隔てた上方に位置する面に配置されている前記光触媒照射光源からの光を取り込む入射端面を有する光ファイバーと、
前記光ファイバーの出射端面から出射された光を拡散する拡散板とを、
前記第２の支持部材を構成する前記肉薄の透明な多孔質部材と前記光触媒照射光源との間に備えたことを特徴とする請求項１２に記載の光触媒を用いた物品の老化防止輸送用容器。
【請求項２７】
さらに、前記光触媒照射光源からの光を拡散する拡散板を、前記第２の支持部材を構成する前記肉薄の透明な多孔質部材と前記光触媒照射光源との間に備えたことを特徴とする請求項１２に記載の光触媒を用いた物品の老化防止輸送用容器。
【請求項２８】
前記第２の支持部材と少なくとも一部の前記光触媒照射光源とが、前記箱本体に対して着脱可能な一ユニットとして一体的に構成されていることを特徴とする請求項１３〜２７のいずれかに記載の記載の光触媒を用いた物品の老化防止輸送用容器。
【請求項２９】
前記箱本体の内壁の少なくとも一部が反射面で構成されていることを特徴とする請求項１〜２８のいずれかに記載の光触媒を用いた物品の老化防止輸送用容器。
【請求項３０】
前記光触媒照射光源が、点滅制御手段を備えていることを特徴とする請求項１〜２９のいずれかに記載の光触媒を用いた物品の老化防止輸送用容器。
【請求項３１】
前記光触媒照射光源が、前記箱本体に支持される農作物に対して所定のビタミンを増加させることのできる特定波長の光に切り替えて該農作物を照射可能に構成されていることを特徴とする請求項１〜３０のいずれかに記載の光触媒を用いた物品の老化防止輸送用容器。
【請求項３２】
前記箱本体の内壁及び前記支持部材の、少なくともいずれかに、表面に光に不活性な無機物で部分的に被覆してなる被覆光触媒粒子を担持した、微細孔構造を備えた多孔質物質を備えたシートを貼り付けたことを特徴とする請求項１〜１１のいずれかに記載の光触媒を用いた物品の老化防止輸送用容器。
【請求項３３】
前記箱本体の内壁、前記支持部材及び前記第２の支持部材の、少なくともいずれかに、表面に光に不活性な無機物で部分的に被覆してなる被覆光触媒粒子を担持した、微細孔構造を備えた多孔質物質を備えたシートを貼り付けたことを特徴とする請求項１２〜２８、請求項１２〜２８のいずれかに従属する請求項２９〜３１、のいずれかに記載の光触媒を用いた物品の老化防止輸送用容器。
【請求項３４】
前記箱本体の内壁及び前記支持部材の、少なくともいずれかに、表面に光に不活性な無機物で部分的に被覆してなる被覆光触媒粒子を担持した、微細孔構造を備えた多孔質物質を備えたシートを着脱可能に備えたことを特徴とする請求項１〜１１のいずれかに記載の光触媒を用いた物品の老化防止輸送用容器。
【請求項３５】
前記箱本体の内壁、前記支持部材及び前記第２の支持部材の、少なくともいずれかに、表面に光に不活性な無機物で部分的に被覆してなる被覆光触媒粒子を担持した、微細孔構造を備えた多孔質物質を備えたシートを着脱可能に備えたことを特徴とする請求項１２〜２８、請求項１２〜２８のいずれかに従属する請求項２９〜３１、のいずれかに記載の光触媒を用いた物品の老化防止輸送用容器。
【請求項３６】
前記箱本体の内壁及び前記支持部材の、少なくともいずれかが、生分解性プラスチックからなることを特徴とする請求項１〜１１、３２、３４のいずれかに記載の光触媒を用いた物品の老化防止輸送用容器。
【請求項３７】
前記箱本体の内壁、前記支持部材及び前記第２の支持部材の、少なくともいずれかが、生分解性プラスチックからなることを特徴とする請求項１２〜２８、請求項１２〜２８のいずれかに従属する請求項２９〜３１、３３、３５のいずれかに記載の光触媒を用いた物品の老化防止輸送用容器。
【請求項３８】
少なくとも一部の前記光触媒照射光源が、前記箱本体に対し着脱可能に構成されていることを特徴とする請求項１〜３７のいずれかに記載の光触媒を用いた物品の老化防止輸送用容器。
【請求項３９】
前記箱本体が、少なくとも一部の前記光触媒照射光源の取り付け位置を調整可能な取り付け位置調整手段を備えることを特徴とする請求項１〜３７のいずれかに記載の光触媒を用いた物品の老化防止輸送用容器。
【考案の詳細な説明】
【技術分野】
【０００１】
本考案は、野菜・果物などの生鮮食品や、衣類などの物品を収納し、老化を極力抑えながら輸送するのに好適な、光触媒を用いた物品の老化防止輸送用容器に関する。
【背景技術】
【０００２】
従来、野菜や果物などの生鮮食品を新鮮な状態で運搬する場合、紙繊維パルプを原料とするダンボール紙等からなる容器が一般的に使用されている。そのような容器は、例えば、次の特許文献１に記載されている。
【特許文献１】特開平０７−７０９９１号公報
【０００３】
ところで、収穫した野菜や果物は、分離した部位等からエチレンガスを発散する。そして、エチレンガスは、果物等の熟成と変質、腐敗を促進させる機能を有している。また、収穫した野菜や果物やその周囲の空気中には、かびや、菌などの微生物が存在する。そして、これらが繁殖すると、野菜や果物の腐敗が加速してしまう。このため、容器等に果物等を収容したままにしておくと、果物等から発散されるエチレンガスや、果物等に付着した菌などにより、果物等の鮮度が劣化し易くなってしまう。
【０００４】
しかるに、従来、果物等から発散されるエチレンガス等の容器内での含有量を減少させて、果物等の熟成の促進効果を抑制するための技術として、例えば、次の特許文献２に記載の容器が提案されている。
【特許文献２】特開２０００−３００１７４号公報
【０００５】
特許文献２に記載の容器は、活性炭の粒状体又はペレットを箱体の内部の側辺と枠体との隙間に充填している。そして、活性炭の吸着作用を利用して果物等から発散されるエチレンガス等や湿度に由来して発生する微生物等を除去することで、容器内を清浄に保ち、生鮮食品の鮮度を維持するようにしている。
【考案の開示】
【考案が解決しようとする課題】
【０００６】
しかし、野菜等からは水分が蒸発する。また、活性炭は、容器内が水蒸気で飽和されると、水に優先的に吸着し、エチレンガスを脱着する。このようになると、活性炭のエチレンガス吸着能力がなくなる。このため、特許文献２に記載の容器では、ある程度エチレンガス等を吸着すると、その後は効力が低下して、容器内でのエチレンガスの増加を抑えることができなくなり、生鮮食品の鮮度を、比較的長期間保持することはできない。
【０００７】
また、野菜や果物などの生鮮食品の鮮度維持のためには、微生物やカビの繁殖を抑制することが必要であるが、農薬を用いたのでは、残留農薬の毒性が心配される。このため、無農薬で栽培しながら微生物やカビの繁殖を抑制することが望まれる。
【０００８】
本考案は、従来のこのような問題点に鑑みてなされたものであり、野菜や果物等の物品から発散されるエチレンガスを多く吸着して熟成を抑制し、また、これらの物品及びその周囲に存在する微生物や菌を、分解・除去して、物品の鮮度を長期間維持することが可能な光触媒を用いた物品の老化防止輸送用容器を提供することを目的とする。
【課題を解決するための手段】
【０００９】
上記目的を達成するため、本考案による光触媒を用いた物品の老化防止輸送用容器は、物品を収納可能で、遮光性を備えた箱本体と、前記箱本体内部において前記物品を支持する支持部材と、前記箱本体の内壁及び前記支持部材の、少なくともいずれかの所定箇所に設けられた、表面に光に不活性な無機物で部分的に被覆してなる被覆光触媒粒子を担持した、微細孔構造を備えた多孔質物質と、前記箱本体内部における前記被覆光触媒粒子に照射可能な位置に配置された、所定波長の光を発する光触媒照射光源と、を有してなることを特徴としている。
【００１０】
また、本考案による光触媒を用いた物品の老化防止輸送用容器は、物品を収納可能な箱本体と、前記箱本体内部において前記物品を支持する支持部材と、前記箱本体の内壁及び前記支持部材の、少なくともいずれかの所定箇所に設けられた、表面に光に不活性な無機物で部分的に被覆してなる被覆光触媒粒子と、前記箱本体内部における前記被覆光触媒粒子に照射可能な位置に配置された、所定波長の光を発する光触媒照射光源と、を有してなることを特徴としている。
【００１１】
また、本考案の光触媒を用いた物品の老化防止輸送用容器においては、前記支持部材が、前記物品を下方から固定するための凹部を有し、前記被覆光触媒粒子が、前記箱本体の内壁の上面、前記箱本体の内壁の側面における、前記支持部材の前記凹部よりも上側の部位、前記支持部材に現れる所定の面のうちの、少なくともいずれかの面に配置されているのが好ましい。
【００１２】
また、本考案の光触媒を用いた物品の老化防止輸送用容器においては、前記支持部材が、前記物品を下方から固定するための凹部を有し、且つ、前記箱本体に収納した状態において該箱本体との間に空間ができるような形状に形成された肉薄の透明な多孔質部材で構成されているのが好ましい。
【００１３】
また、本考案の光触媒を用いた物品の老化防止輸送用容器においては、前記支持部材が、前記物品を下方から固定するための凹部を有し、且つ、前記箱本体に密着した状態で収納されるように形成された中空で肉薄の透明な多孔質部材で構成されているのが好ましい。
【００１４】
また、本考案の光触媒を用いた物品の老化防止輸送用容器においては、前記支持部材が、前記物品を下方から固定するための凹部を有し、且つ、前記箱本体に密着した状態で収納されるように形成された樹脂製発泡体で構成されているのが好ましい。
【００１５】
また、本考案の光触媒を用いた物品の老化防止輸送用容器においては、前記支持部材が、前記物品を下方から固定するための凹部を有し、且つ、前記箱本体に密着した状態で収納されるように形成された透明なスポンジ状の成形体で構成されているのが好ましい。
【００１６】
また、本考案の光触媒を用いた物品の老化防止輸送用容器においては、さらに、表面に光に不活性な無機物で部分的に被覆してなる被覆光触媒粒子を担持した、微細孔構造を備えた多孔質物質を、前記支持部材を構成する前記透明なスポンジ状の成形体の内部に備えるのが好ましい。
【００１７】
また、本考案の光触媒を用いた物品の老化防止輸送用容器においては、さらに、表面に光に不活性な無機物で部分的に被覆してなる被覆光触媒粒子を、前記支持部材を構成する前記透明なスポンジ状の成形体の内部に備えるのが好ましい。
【００１８】
また、本考案の光触媒を用いた物品の老化防止輸送用容器においては、前記被覆光触媒粒子が、前記箱本体の内壁における、前記支持部材の前記凹部を隔てた上方及び下方の両側に位置する面に配置されているのが好ましい。
【００１９】
また、本考案の光触媒を用いた物品の老化防止輸送用容器においては、前記光触媒照射光源が、前記箱本体の内壁における、前記支持部材の前記凹部を隔てた下方及び上方の両側に位置する面に配置されているのが好ましい。
【００２０】
また、本考案の光触媒を用いた物品の老化防止輸送用容器においては、さらに、前記物品を上方から固定するための第２の凹部を有する第２の支持部材を有し、前記第２の支持部材が、前記箱本体に収納した状態において該箱本体との間に空間ができるような形状に形成された肉薄の透明な多孔質部材で構成されているのが好ましい。
【００２１】
また、本考案の光触媒を用いた物品の老化防止輸送用容器においては、さらに、前記物品を上方から固定するための第２の凹部を有する第２の支持部材を有し、前記第２の支持部材が、前記箱本体に密着した状態で収納されるように形成された中空で肉薄の透明な多孔質部材で構成されているのが好ましい。
【００２２】
また、本考案の光触媒を用いた物品の老化防止輸送用容器においては、さらに、前記物品を上方から固定するための第２の支持部材を有し、前記第２の支持部材が、透明な多孔質シート部材で構成されているのが好ましい。
【００２３】
また、本考案の光触媒を用いた物品の老化防止輸送用容器においては、さらに、表面に光に不活性な無機物で部分的に被覆してなる被覆光触媒粒子を担持した、微細孔構造を備えた多孔質物質を、前記第２の支持部材における所定の面に備えるのが好ましい。
【００２４】
また、本考案の光触媒を用いた物品の老化防止輸送用容器においては、さらに、表面に光に不活性な無機物で部分的に被覆してなる被覆光触媒粒子を、前記第２の支持部材における所定の面に備えるのが好ましい。
【００２５】
また、本考案の光触媒を用いた物品の老化防止輸送用容器においては、さらに、前記物品を上方から固定するための第２の凹部を有する第２の支持部材を有し、前記第２の支持部材が、前記箱本体に密着した状態で収納されるように形成された透明なスポンジ状の成形体で構成されているのが好ましい。
【００２６】
また、本考案の光触媒を用いた物品の老化防止輸送用容器においては、さらに、表面に光に不活性な無機物で部分的に被覆してなる被覆光触媒粒子を担持した、微細孔構造を備えた多孔質物質を、前記第２の支持部材を構成する前記透明なスポンジ状の成形体の内部に備えるのが好ましい。
【００２７】
また、本考案の光触媒を用いた物品の老化防止輸送用容器においては、さらに、表面に光に不活性な無機物で部分的に被覆してなる被覆光触媒粒子を、前記第２の支持部材を構成する前記透明なスポンジ状の成形体の内部に備えるのが好ましい。
【００２８】
また、本考案の光触媒を用いた物品の老化防止輸送用容器においては、さらに、前記物品を上方から固定するための第２の凹部を有する第２の支持部材を有し、前記第２の支持部材が、前記箱本体に密着した状態で収納されるように形成された透明な網目状構造体で構成されているのが好ましい。
【００２９】
また、本考案の光触媒を用いた物品の老化防止輸送用容器においては、さらに、表面に光に不活性な無機物で部分的に被覆してなる被覆光触媒粒子を担持した、微細孔構造を備えた多孔質物質を、前記第２の支持部材を構成する前記透明な網目状構造体の内部に備えるのが好ましい。
【００３０】
また、本考案の光触媒を用いた物品の老化防止輸送用容器においては、さらに、表面に光に不活性な無機物で部分的に被覆してなる被覆光触媒粒子を、前記第２の支持部材を構成する前記透明な網目状構造体の内部に備えるのが好ましい。
【００３１】
また、本考案の光触媒を用いた物品の老化防止輸送用容器においては、さらに、前記物品を上方から固定するための第２の支持部材を有し、前記第２の支持部材が、前記箱本体の内壁における、前記支持部材の前記凹部を隔てた上方に位置する面に配置されている前記光触媒照射光源からの光を取り込む入射端面を有するとともに、側面で前記支持部材に支持された物品を上方から押えることが可能な所定の長さでランダムに配置された光ファイバーと、前記光ファイバーを収納するメッシュ状部材とで構成されているのが好ましい。
【００３２】
また、本考案の光触媒を用いた物品の老化防止輸送用容器においては、さらに、表面に光に不活性な無機物で部分的に被覆してなる被覆光触媒粒子を担持した、微細孔構造を備えた多孔質物質を、前記第２の支持部材を構成する前記光ファイバーに備えるのが好ましい。
【００３３】
また、本考案の光触媒を用いた物品の老化防止輸送用容器においては、さらに、表面に光に不活性な無機物で部分的に被覆してなる被覆光触媒粒子を、前記第２の支持部材を構成する前記光ファイバーに備えるのが好ましい。
【００３４】
また、本考案の光触媒を用いた物品の老化防止輸送用容器においては、さらに、前記箱本体の内壁における、前記支持部材の前記凹部を隔てた上方に位置する面に配置されている前記光触媒照射光源からの光を取り込む入射端面を有する光ファイバーと、前記光ファイバーの出射端面から出射された光を拡散する拡散板とを、前記第２の支持部材を構成する前記肉薄の透明な多孔質部材と前記光触媒照射光源との間に備えるのが好ましい。
【００３５】
また、本考案の光触媒を用いた物品の老化防止輸送用容器においては、さらに、前記光触媒照射光源からの光を拡散する拡散板を、前記第２の支持部材を構成する前記肉薄の透明な多孔質部材と前記光触媒照射光源との間に備えるのが好ましい。
【００３６】
また、本考案の光触媒を用いた物品の老化防止輸送用容器においては、前記第２の支持部材と少なくとも一部の前記光触媒照射光源とが、前記箱本体に対して着脱可能な一ユニットとして一体的に構成されているのが好ましい。
【００３７】
また、本考案の光触媒を用いた物品の老化防止輸送用容器においては、前記箱本体の内壁の少なくとも一部が反射面で構成されているのが好ましい。
【００３８】
また、本考案の光触媒を用いた物品の老化防止輸送用容器においては、前記光触媒照射光源が、点滅制御手段を備えているのが好ましい。
【００３９】
また、本考案の光触媒を用いた物品の老化防止輸送用容器においては、前記光触媒照射光源が、前記箱本体に支持される農作物に対して所定のビタミンを増加させることのできる特定波長の光に切り替えて該農作物を照射可能に構成されているのが好ましい。
【００４０】
また、本考案の光触媒を用いた物品の老化防止輸送用容器においては、前記箱本体の内壁及び前記支持部材の、少なくともいずれかに、表面に光に不活性な無機物で部分的に被覆してなる被覆光触媒粒子を担持した、微細孔構造を備えた多孔質物質を備えたシートを貼り付けるのが好ましい。
【００４１】
また、本考案の光触媒を用いた物品の老化防止輸送用容器においては、前記箱本体の内壁、前記支持部材及び前記第２の支持部材の、少なくともいずれかに、表面に光に不活性な無機物で部分的に被覆してなる被覆光触媒粒子を担持した、微細孔構造を備えた多孔質物質を備えたシートを貼り付けるのが好ましい。
【００４２】
また、本考案の光触媒を用いた物品の老化防止輸送用容器においては、前記箱本体の内壁及び前記支持部材の、少なくともいずれかに、表面に光に不活性な無機物で部分的に被覆してなる被覆光触媒粒子を担持した、微細孔構造を備えた多孔質物質を備えたシートを着脱可能に備えるのが好ましい。
【００４３】
また、本考案の光触媒を用いた物品の老化防止輸送用容器においては、前記箱本体の内壁、前記支持部材及び前記第２の支持部材の、少なくともいずれかに、表面に光に不活性な無機物で部分的に被覆してなる被覆光触媒粒子を担持した、微細孔構造を備えた多孔質物質を備えたシートを着脱可能に備えるのが好ましい。
【００４４】
また、本考案の光触媒を用いた物品の老化防止輸送用容器においては、前記箱本体の内壁及び前記支持部材の、少なくともいずれかが、生分解性プラスチックからなるのが好ましい。
【００４５】
また、本考案の光触媒を用いた物品の老化防止輸送用容器においては、前記箱本体の内壁、前記支持部材及び前記第２の支持部材の、少なくともいずれかが、生分解性プラスチックからなるのが好ましい。
【００４６】
また、本考案の光触媒を用いた物品の老化防止輸送用容器においては、少なくとも一部の前記光触媒照射光源が、前記箱本体に対し着脱可能に構成されているのが好ましい。
【００４７】
また、本考案の光触媒を用いた物品の老化防止輸送用容器においては、前記箱本体が、少なくとも一部の前記光触媒照射光源の取り付け位置を調整可能な取り付け位置調整手段を備えるのが好ましい。
【考案の効果】
【００４８】
本考案によれば、野菜や果物等の物品から発散されるエチレンガスを多く吸着して熟成を抑制し、また、これらの物品及びその周囲に存在する微生物や菌を、分解・除去して、物品の鮮度を長期間維持することが可能な光触媒を用いた物品の老化防止輸送用容器が得られる。
【考案を実施するための最良の形態】
【００４９】
実施形態の説明に先立ち、本考案の基本的な作用効果について補足説明する。なお、詳細な作用効果については各実施形態の中で説明することとする。
チタニアは、光を照射すると酸化還元作用により有機物質を分解するという性質を有していることが知られている。チタニアのこのような光触媒作用を利用すれば、野菜や果物等の生鮮食品から発散されるエチレンガスや、生鮮食品や衣類などの物品及びそれらの物品の周囲に存在する微生物や菌を、分解・除去することができる。この方法は、チタニアと光を利用するだけで繰り返し使用できるという長所がある。
【００５０】
しかし、このような光触媒粒子を容器の内部にそのまま備えると、その強力な光触媒作用によってエチレンガス、微生物や菌だけでなく、容器自身も分解されてしまうという問題がある。
【００５１】
しかるに、本考案の光触媒を用いた物品の老化防止輸送用容器では、表面に光に不活性な無機物で部分的に被覆してなる被覆光触媒粒子を用いている。このようにすれば、被覆光触媒粒子を例えば、炭、ゼオライト、活性炭などの微細孔構造を備えた多孔質物質に担持させて容器を構成する箱本体の内壁等に備えても、被覆光触媒粒子における微細孔構造を備えた多孔質物質や箱本体の内壁等と接触している部分が、光に不活性なセラミックス等の無機物となる。このため、箱本体等自身を分解することなく、野菜や果物等の生鮮食品から発散されるエチレンガスや、生鮮食品や衣類などの物品及びそれらの物品の周囲に存在する微生物や菌を、箱本体の内部に設けた光源からの所定波長の光の照射により、光触媒粒子を構成する酸化チタンに生成した電子と正孔の酸化還元作用を生じさせることによって、迅速かつ連続的に分解除去することができ、野菜や果物等の生鮮食品や衣類などの物品の鮮度、品質を長期間保持することができる。
【００５２】
従って、本考案の光触媒を用いた物品の老化防止輸送用容器によれば、特許文献２に記載のような従来の光触媒を用いた物品の老化防止輸送用容器とは異なり、容器自体が分解されることなく、容器内部のエチレンガスや菌等を繰り返し分解することができ、生鮮食品等の物品の鮮度、品質を、長期間保持することができる。
【００５３】
さらに、本考案の光触媒を用いた物品の老化防止輸送用容器において、被覆光触媒粒子を微細孔構造を備えた多孔質物質に担持させれば、微細孔構造を備えた多孔質物質が、エチレンガスや菌等などの物品の鮮度を劣化させる物質を吸着するので、被覆光触媒粒子を介して吸着したこれらの有害有機物質をより効率よく分解・除去することができる。
しかも、本考案のように被覆光触媒粒子を担持した、微細孔構造を備えた多孔質物質は、光を照射するだけで、吸着した物質を分解するため、繰り返し使用でき、低コスト・省エネルギー的で、かつメンテナンスフリーで長期間使用できる。
【００５４】
なお、本考案において、光触媒粒子としては、チタンと酸素とが化学量論比のチタニアだけでなく、該チタンと酸素とが不定比のチタニア、酸素欠陥型のチタニア、部分的に酸素を窒化したチタニア、金属イオンをドープしたチタニアなどが好適に用いられる。チタニアの結晶系は、光触媒として高性能である点で、アナターゼやブルッカイトであることが好ましい。また、チタニアの表面に、白金、ロジウム、ルテニウム、パラジウム、銀、銅、亜鉛などの金属が担持されたものは好適であり、それによって化学物質の酸化還元分解速度が更に大きくなり、光触媒作用も大きくなるという利点がある。
【００５５】
また、本考案において、光に不活性な無機物とは、活性が低く実質的に光触媒として不活性のものを含むものとして定義される。例えば、アルミナ、シリカ、ジルコニア、チタン酸ジルコニウム、マグネシア、カルシア、リン酸カルシウム、リン酸チタン、酸化鉄、フェライト、石膏、非晶質のチタニアなどが好適であるが、これらと同様の効果を奏するものであれば、同様に適用することができる。
【００５６】
また、被覆光触媒粒子としては、酸化チタンの表面に光触媒活性を持たないアパタイトなどの光触媒活性を持たないセラミックスを金平糖のように被覆したもの（金平糖型粒子）、酸化チタンの表面に光触媒活性を持たないシリカ（二酸化ケイ素）などのセラミックスをマスクメロンのマスクメロンのように被覆したもの（マスクメロン型粒子）、さらには、シリカゲルなどの多孔質の細孔内に酸化チタン光触媒を保持したもの（光触媒シリカゲル）などがある。即ち、表面を光に不活性な無機物で部分的に被覆するとは、チタニア粒子表面に光に不活性なセラミックスによって島状に被覆したり、チタニア粒子表面を穴のあいた光に不活性なセラミックス膜によって覆ったりしたもので、部分的に光触媒粒子が露出した状態となっていることを意味している。
微細孔構造を備えた多孔質物質としては、例えば、竹炭や木炭などの炭、ゼオライト、椰子殻活性炭などを用いることができる。
【００５７】
第一実施形態
図１は本考案の第一実施形態にかかる光触媒を用いた物品の老化防止輸送用容器を示す図であり、(a)は蓋部を展開した状態の斜視図、(b)は(a)の容器の箱本体の内部に備わる支持部材を上から見た説明図、(c)は(b)に示した支持部材の斜視図、(d)は(a)の容器の箱本体における蓋部の内側を見た説明図である。図２は図１に示した容器の蓋部を閉じた状態において図１(b)のＡ−Ａ線で切ったときの断面図である。なお、図２では便宜上、蓋部における箱本体内部への開閉部（図１(a)における符号１ｃで示す部位）は省略して示してある。
第一実施形態の光触媒を用いた物品の老化防止輸送用容器は、箱本体１と、支持部材２と、被覆光触媒粒子を担持した、微細孔構造を備えた多孔質物質としての炭の粒子３と、光触媒照射光源４を有して構成されている。
【００５８】
箱本体１は、ダンボール、木又はプラスチック（例えば、ポリスチレン、ポリプロピレン、ポリ塩化ビニル、ポリエチレンテレフタレート等の合成樹脂）等を用いて形成されており、開閉可能な蓋部１ａを有している。なお、図１の例では、蓋部１ａを、一辺を軸として展開可能となるように構成したが、箱本体を上箱と下箱とで構成し、その上箱を蓋部としてもよい。
また、箱本体１は、例えば、外壁に遮光性塗料が塗布される又は箱本体１を構成する材料に遮光性物質が一体に混入等されていて遮光性を備えており、外部からの光を遮断する機能を備えている。
【００５９】
支持部材２は、例えば、プチトマトなどの生鮮食品１０を下方から固定する凹部２ａを有し、箱本体１に収納した状態において箱本体１との間に空間ができるような形状に形成された肉薄の透明な多孔質部材（例えば、例えば、ポリスチレン、ポリプロピレン、ポリ塩化ビニル、ポリエチレンテレフタレート等の合成樹脂を材料をして成形された、多孔質プラスチック成形体）で構成されており、凹部２ａを介して箱本体１の内部において物品の下部を支持することができるようになっている。なお、図１の例においては、支持部材２は、透明でなくてもよく、また、多孔質でないプラスチック成形体を用いて構成してもよく、さらには、紙等で構成してもよい。また、図１の例では、凹部２ａを、プチトマトなどの生鮮食品用に形成したが、凹部２ａは、収納する物品の大きさや形状に合わせて、形成してよい。なお、本考案の各実施形態においては、説明の便宜上、収納する物品は、プチトマトなどの生鮮食品としている。
【００６０】
被覆光触媒粒子を担持した炭の粒子３は、図２に示すように、箱本体１の内壁の上面（即ち、蓋部１ａの内側面）と、箱本体１の内壁の側面１ｂにおける、支持部材２の凹部２ａよりも上側の部位と、支持部材２の凹部２ａ側における凹部２ａ以外の面とに、担持されている。なお、被覆光触媒粒子としては、上述した金平糖型粒子やマスクメロン型粒子が用いられる。また、上記各面への被覆光触媒粒子を担持した炭の粒子３の担持は、被覆光触媒粒子を担持した炭の粒子３のコーティング液を塗布することによりなされる。
【００６１】
光触媒照射光源４は、被覆光触媒粒子に所定波長の光を発するＬＥＤ４ａを備えて構成されており、箱本体１における蓋部１ａの内側面に取り付けられている。
また、光触媒照射光源４は、ＬＥＤ４ａを発光させるための電気を供給する電池（図示省略）と、制御回路（図示省略）を備えている。制御回路は、ＬＥＤ４ａの発光する間隔、時間を制御するように構成されている。なお、光触媒照射光源４は、例えば紫外光、青色光などそれぞれ異なる波長の光を発するＬＥＤを複数個備え、制御回路（図示省略）を介して発光させるＬＥＤを選択できるように構成してもよい。
【００６２】
このように構成された第一実施形態の光触媒を用いた物品の老化防止輸送用容器では、例えばプチトマトなどの生鮮食品１０は、箱本体１の内部に外部からの光を遮光され、支持部材２の凹部２ａに位置を固定された状態で収納される。
このとき、光触媒照射光源４からは、ＬＥＤ４ａを介して所定波長の光が、箱本体１の内壁の上面（即ち、蓋部１ａの内側面）と、箱本体１の内壁の側面１ｂにおける、支持部材２の凹部２ａよりも上側の部位と、支持部材２の凹部２ａ側における凹部２ａ以外の面とに担持され且つ炭の粒子３に担持された被覆光触媒粒子に照射される。
【００６３】
そして、生鮮食品１０から発散されたエチレンガスや、箱本体１に収納当初から生鮮食品に付着しその後箱本体１の内部で浮遊する菌は、箱本体１の内部において、箱本体１の内壁の上面（即ち、図１の蓋部１ａの内側面）と、箱本体１の内壁の側面１ｂにおける、支持部材２の凹部２ａよりも上側の部位と、支持部材２の凹部２ａ側における凹部２ａ以外の面とに担持された炭の粒子３に吸着される。炭の粒子３に吸着されたエチレンガスや菌は、被覆光触媒粒子の光触媒作用により、分解・除去される。また、炭の粒子３に吸着されないエチレンガスや菌も被覆光触媒粒子の近傍であれば、その光触媒作用により、分解・除去される。これにより、炭の粒子３は繰り返してエチレンガス等を吸着できる。
【００６４】
しかも、被覆光触媒粒子を箱本体１の内壁等に担持しても、箱本体１の内壁と接触するのは、部分的に被覆された光に活性のない無機物であるため、箱本体１自体は光触媒作用を受けず、分解されることがない。
さらに、炭の粒子３は、生鮮食品１０から蒸発した水分も吸着する作用を有する。このため、箱本体１の内部の湿度を微生物が繁殖しない湿度に保つことができる。
このため、第一実施形態の物品の老化防止輸送用容器によれば、生鮮食品１０の鮮度を長期間維持することができる。
【００６５】
なお、図１及び図２に示した例では、箱本体１の内壁の上面（即ち、蓋部１ａの内側面）と、箱本体１の内壁の側面１ｂにおける、支持部材２の凹部２ａよりも上側の部位と、支持部材２の凹部２ａ側における凹部２ａ以外の面とに、被覆光触媒粒子を担持した炭の粒子３を備えたが、炭の粒子３に担持されない被覆光触媒粒子を、直接、箱本体１の内壁の上面（即ち、図１の蓋部１ａの内側面）と、箱本体１の内壁の側面１ｂにおける、支持部材２の凹部２ａよりも上側の部位と、支持部材２の凹部２ａ側における凹部２ａ以外の面とに備えるようにしてもよい。
このようにしても、箱本体１自体が分解されることなく、エチレンガス等を分解・除去することができる。
【００６６】
第二実施形態
図３は本考案の第二実施形態にかかる光触媒を用いた物品の老化防止輸送用容器を示す図であり、容器の蓋部を閉じた状態において図１(b)のＡ−Ａ線に相当する位置の線で切ったときの断面図である。なお、図３では便宜上、蓋部における箱本体内部への開閉部（図１(a)における符号１ｃで示す部位に相当する部位）は省略して示してある。
第二実施形態の光触媒を用いた物品の老化防止輸送用容器は、支持部材２が、箱本体１に密着した状態で収納されるように形成された、例えば発泡スチロールや発泡スポンジなどの不透明な樹脂製発泡体や普通のスポンジなどの成形体で構成されている。
その他の構成及び作用効果は、図１及び図２に示した第一実施形態の光触媒を用いた物品の老化防止輸送用容器とほぼ同じである。
【００６７】
第三実施形態
図４は本考案の第三実施形態にかかる光触媒を用いた物品の老化防止輸送用容器を示す図であり、容器の蓋部を閉じた状態において図１(b)のＡ−Ａ線に相当する位置の線で切ったときの断面図である。なお、図４では便宜上、蓋部における箱本体内部への開閉部（図１(a)における符号１ｃで示す部位に相当する部位）は省略して示してある。
第三実施形態の光触媒を用いた物品の老化防止輸送用容器は、光触媒照射光源４が、箱本体１の内壁における、支持部材２の凹部２ａを隔てた下方及び上方の両側に位置する面（即ち、図４の例では、蓋部１ａの内側面と、箱本体１の内壁の底面１ｄ）に配置されている。また、被覆光触媒粒子を担持した、微細孔構造を備えた多孔質物質としての炭の粒子３は、箱本体１の内壁の上面（即ち、図１の蓋部１ａの内側面に相当する面）と、箱本体１の内壁の側面１ｂにおける、支持部材２の凹部２ａよりも上側の部位と、箱本体１の内壁の底面１ｄと、支持部材２における箱本体１の内壁と接する面以外の表面に担持されている。
その他の構成は、図１及び図２に示した第一実施形態の光触媒を用いた物品の老化防止輸送用容器とほぼ同じである。
【００６８】
このように構成された第三実施形態の光触媒を用いた物品の老化防止輸送用容器によれば、図１及び図２に示した第一実施形態の光触媒を用いた物品の老化防止輸送用容器による作用効果に加えて、さらに、箱本体１の内壁の底面１ｄからも光触媒照射光源４から所定波長の光が照射されて、生鮮食品１０の底部及びその近傍において発散された後に上昇しないで残存するエチレンガスや、生鮮食品１０の底部（凹部２ａに接する部分）に付着した菌等を分解・除去できる。また、箱本体１の底部の湿気も除去できる。
このため、第三実施形態の光触媒を用いた物品の老化防止輸送用容器によれば、より一層、生鮮食品の鮮度を保つことができる。
【００６９】
第四実施形態
図５は本考案の第四実施形態にかかる光触媒を用いた物品の老化防止輸送用容器を示す図であり、容器の蓋部を閉じた状態において図１(b)のＡ−Ａ線に相当する位置の線で切ったときの断面図である。なお、図５では便宜上、蓋部における箱本体内部への開閉部（図１(a)における符号１ｃで示す部位に相当する部位）は省略して示してある。
第四実施形態の光触媒を用いた物品の老化防止輸送用容器は、図３に示した第二実施形態の光触媒を用いた物品の老化防止輸送用容器の構成に加えて、第２の支持部材５を有している。
第２の支持部材５は、プチトマトなどの生鮮食品１０を上方から固定する第２の凹部５ａを有し、箱本体１に収納した状態において箱本体１との間に空間ができるような形状に形成された肉薄の透明な多孔質部材（例えば、多孔質プラスチック成形体）で構成されている。
また、被覆光触媒粒子を担持した、微細孔構造を備えた多孔質物質としての炭の粒子３は、図３に示した部位に加えて、第２の支持部材５の表面全体にも担持されている。
【００７０】
このように構成された第四実施形態の光触媒を用いた物品の老化防止輸送用容器によれば、図３に示した第二実施形態の光触媒を用いた物品の老化防止輸送用容器による作用効果に加えて、第２の支持部材５に担持された被覆光触媒粒子を担持した炭３の粒子を介して、生鮮食品１０の上部近傍において、光触媒粒子によるエチレンガス等の分解・除去と、炭の粒子による蒸発する水分の吸着作用を発揮させることができる。
このため、第四実施形態の光触媒を用いた物品の老化防止輸送用容器によれば、より一層、生鮮食品の鮮度を保つことができる。
【００７１】
第五実施形態
図６は本考案の第五実施形態にかかる光触媒を用いた物品の老化防止輸送用容器を示す図であり、容器の蓋部を閉じた状態において図１(b)のＡ−Ａ線に相当する位置の線で切ったときの断面図である。なお、図６では便宜上、蓋部における箱本体内部への開閉部（図１(a)における符号１ｃで示す部位に相当する部位）は省略して示してある。
第五実施形態の光触媒を用いた物品の老化防止輸送用容器は、図２に示した第一実施形態の光触媒を用いた物品の老化防止輸送用容器の構成に加えて、第２の支持部材５を有している。
第２の支持部材５は、透明な多孔質シート部材で構成されている。そして、隅を支持部材２と箱本体１との隙間に挟み込むことで、プチトマトなどの生鮮食品を上方から固定することができるようになっている。
また、被覆光触媒粒子を担持した、微細孔構造を備えた多孔質物質としての炭の粒子３は、図２に示した部位に加えて、第２の支持部材５の表面全体にも担持されている。
【００７２】
このように構成された第五実施形態の光触媒を用いた物品の老化防止輸送用容器によれば、図５に示した第四実施形態の光触媒を用いた物品の老化防止輸送用容器と同様、第２の支持部材５に担持された被覆光触媒粒子を担持した炭３の粒子を介して、生鮮食品１０の上部近傍において、光触媒粒子によるエチレンガス等の分解・除去と、炭の粒子による蒸発する水分の吸着作用を発揮させることができる。
このため、第五実施形態の光触媒を用いた物品の老化防止輸送用容器によれば、より一層、生鮮食品の鮮度を保つことができる。
【００７３】
第六実施形態
図７は本考案の第六実施形態にかかる光触媒を用いた物品の老化防止輸送用容器を示す図であり、容器の蓋部を閉じた状態において図１(b)のＡ−Ａ線に相当する位置の線で切ったときの断面図である。なお、図７では便宜上、蓋部における箱本体内部への開閉部（図１(a)における符号１ｃで示す部位に相当する部位）は省略して示してある。
第六実施形態の光触媒を用いた物品の老化防止輸送用容器は、図４に示した第三実施形態の光触媒を用いた物品の老化防止輸送用容器とほぼ同様の構成に加えて、第２の支持部材５を有している。
第２の支持部材５は、プチトマトなどの生鮮食品１０を上方から固定する第２の凹部５ａを有し、箱本体１に密着した状態で収納されるように形成された中空で肉薄の透明な多孔質部材（例えば、多孔質プラスチック成形体）で構成されている。
また、被覆光触媒粒子を担持した、微細孔構造を備えた多孔質物質としての炭の粒子３は、箱本体１の内壁の底面１ｄと、支持部材２における箱本体１の内壁と接する面以外の表面と、第２の支持部材５の内側面と、第２の支持部材５の外側面のうち生鮮食品１０側の面全体に担持されている。なお、図４に示した第三実施形態の光触媒を用いた物品の老化防止輸送用容器とは異なり、被覆光触媒粒子を担持した炭の粒子３は、箱本体１の内壁の上面（即ち、図１の蓋部１ａの内側面に相当する面）には備えていない。
【００７４】
このように構成された第六実施形態の光触媒を用いた物品の老化防止輸送用容器によれば、図４に示した第三実施形態の光触媒を用いた物品の老化防止輸送用容器による作用効果に加えて、第２の支持部材５に担持された被覆光触媒粒子を担持した炭３の粒子を介して、生鮮食品１０の上部近傍において、光触媒粒子によるエチレンガス等の分解・除去と、炭の粒子による蒸発する水分の吸着作用を発揮させることができる。
このため、第六実施形態の光触媒を用いた物品の老化防止輸送用容器によれば、より一層、生鮮食品の鮮度を保つことができる。
【００７５】
第七実施形態
図８は本考案の第七実施形態にかかる光触媒を用いた物品の老化防止輸送用容器を示す図であり、容器の蓋部を閉じた状態において図１(b)のＡ−Ａ線に相当する位置の線で切ったときの断面図である。なお、図８では便宜上、蓋部における箱本体内部への開閉部（図１(a)における符号１ｃで示す部位に相当する部位）は省略して示してある。
第七実施形態の光触媒を用いた物品の老化防止輸送用容器は、支持部材２が、箱本体１に密着した状態で収納されるように形成された、例えば透明な合成樹脂製のスポンジ状の成形体で構成されている。また、光触媒照射光源４が、箱本体１の内壁における、支持部材２の凹部２ａを隔てた下方及び上方の両側に位置する面（即ち、蓋部１ａの内側面と、箱本体１の内壁の底面）に配置されている。さらに、例えば、透明な合成樹脂製のスポンジ状の成形体で構成された支持部材５を有している。支持部材５は、プチトマトなどの生鮮食品１０を上方から固定する第２の凹部５ａを有している。
そして、被覆光触媒粒子を担持した、微細孔構造を備えた多孔質物質としての炭の粒子３を、支持部材２及び第２の支持部材５を構成する透明な合成樹脂製のスポンジ状の成形体の内部に備えている。
【００７６】
このように構成された第七実施形態の光触媒を用いた物品の老化防止輸送用容器によれば、光触媒照射光源４からの光が、照射生鮮食品１０を挟む支持部材２及び第２の支持部材５を構成する透明な合成樹脂製のスポンジ状の成形体の内部に備えられた炭の粒子３に担持された被覆光触媒粒子に照射されて光触媒作用を奏する。
このため、支持部材５及び第２の支持部材５に担持された被覆光触媒粒子を担持した炭３の粒子を介して、生鮮食品１０の周囲すべておいて、光触媒粒子によるエチレンガス等の分解・除去と、炭の粒子による蒸発する水分の吸着作用を発揮させることができる。
このため、第七実施形態の光触媒を用いた物品の老化防止輸送用容器によれば、より一層、生鮮食品の鮮度を保つことができる。
【００７７】
第八実施形態
図９は本考案の第八実施形態にかかる光触媒を用いた物品の老化防止輸送用容器を示す図であり、容器の蓋部を閉じた状態において図１(b)のＡ−Ａ線に相当する位置の線で切ったときの断面図である。なお、図９では便宜上、蓋部における箱本体内部への開閉部（図１(a)における符号１ｃで示す部位に相当する部位）は省略して示してある。
第八実施形態の光触媒を用いた物品の老化防止輸送用容器は、図８に示した第七実施形態の光触媒を用いた物品の老化防止輸送用容器における支持部材２と第２の支持部材５が、例えば、ガラス繊維などの透明な繊維を用いて、箱本体１に密着した状態で収納されるように形成された透明な網目状構造体で構成されている。
その他の構成及び作用効果は、図８に示した第七実施形態の光触媒を用いた物品の老化防止輸送用容器とほぼ同じである。
【００７８】
第九実施形態
図１０は本考案の第九実施形態にかかる光触媒を用いた物品の老化防止輸送用容器を示す図であり、容器の蓋部を閉じた状態において図１(b)のＡ−Ａ線に相当する位置の線で切ったときの断面図である。なお、図１０では便宜上、蓋部における箱本体内部への開閉部（図１(a)における符号１ｃで示す部位に相当する部位）は省略して示してある。
第九実施形態の光触媒を用いた物品の老化防止輸送用容器は、図３に示した第二実施形態の光触媒を用いた物品の老化防止輸送用容器とほぼ同様の構成に加えて、第２の支持部材５を備えている。
第２の支持部材５は、光ファイバー６とメッシュ状部材７とを有して構成されている。
光ファイバー６は、箱本体１の内壁における、支持部材２の凹部２ａを隔てた上方に位置する面（図１０の例では蓋部１ａの内側面）に配置されている光触媒照射光源４からの光を取り込む入射端面６ａを有するとともに、側面で支持部材２に支持された生鮮食品１０を上方から押えることが可能な所定の長さでランダムに配置されている。なお、図１０では便宜上、図示を省略したが、光触媒照射光源４と光ファイバー６は、連結部材を介して連結されている。
また、メッシュ部材７は、光ファイバー６を収納している。
そして、第２の支持部材５は、生鮮食品１０を押えたときに、生鮮食品の外形に合わせた形状に変形するようになっている。
また、被覆光触媒粒子を担持した、微細孔構造を備えた多孔質物質としての炭の粒子３は、図３に示した部位に加えて、第２の支持部材５を構成する光ファイバー６の周囲と、メッシュ部材７に備えられている。
【００７９】
このように構成された第九実施形態の光触媒を用いた物品の老化防止輸送用容器によれば、図３に示した第二実施形態の光触媒を用いた物品の老化防止輸送用容器による作用効果に加えて、第２の支持部材５に担持された被覆光触媒粒子を担持した炭３の粒子を介して、生鮮食品１０の上部近傍において、光触媒粒子によるエチレンガス等の分解・除去と、炭の粒子による蒸発する水分の吸着作用を発揮させることができる。
このため、第九実施形態の光触媒を用いた物品の老化防止輸送用容器によれば、より一層、生鮮食品の鮮度を保つことができる。
【００８０】
また、第九実施形態の光触媒を用いた物品の老化防止輸送用容器は、箱本体１の内壁における、支持部材２の凹部２ａを隔てた上方に位置する面（図１０の例では蓋部１ａの内側面）に配置されている光触媒照射光源４からの光を取り込む入射端面６ａを有する光ファイバー６を備え、その周囲に光触媒粒子が配置されるようにしたので、光ファイバー６を介して光触媒照射光源４からの光を効率よく光触媒粒子に照射して、光触媒作用を効率的に発揮させることができる。
このため、第九実施形態の光触媒を用いた物品の老化防止輸送用容器によれば、生鮮食品１０の上部近傍における、光触媒粒子によるエチレンガス等の分解・除去を効率的に行うことができる。
【００８１】
第十実施形態
図１１は本考案の第十実施形態にかかる光触媒を用いた物品の老化防止輸送用容器を示す図であり、容器の蓋部を閉じた状態において図１(b)のＡ−Ａ線に相当する位置の線で切ったときの断面図である。なお、図１１では便宜上、蓋部における箱本体内部への開閉部（図１(a)における符号１ｃで示す部位に相当する部位）は省略して示してある。
第十実施形態の光触媒を用いた物品の老化防止輸送用容器は、図５に示した第六実施形態の光触媒を用いた物品の老化防止輸送用容器とほぼ同様の構成に加えて、さらに、箱本体１の内壁における、支持部材２の凹部２ａを隔てた上方に位置する面（図１１の例では、蓋部１ａの内側面）に配置されている光触媒照射光源４からの光を取り込む入射端面６ａを有する光ファイバー６と、光ファイバー６の出射端面６ｂから出射された光を拡散する拡散板８とを、第２の支持部材５を構成する肉薄の透明な多孔質部材と光触媒照射光源４との間に備えている。なお、図１１では便宜上、図示を省略したが、光触媒照射光源４と光ファイバー６は、連結部材を介して連結されている。
なお、第２支持部材５は、その周縁部が折り曲げられており、折り曲げられた周縁部の端面５ｂで拡散板８を保持することができるようになっている。
また、第十実施形態の光触媒を用いた物品の老化防止輸送用容器では、被覆光触媒粒子を担持した、微細孔構造を備えた多孔質物質としての炭の粒子３は、支持部材２の凹部２ａ側における凹部２ａ以外の面と、支持部材５における箱本体１の内壁と接する面以外の表面と、拡散板８の支持部材５側の面に担持されている。
また、第十実施形態の光触媒を用いた物品の老化防止輸送用容器は、箱本体１が比較的大きな深さを持っている。
【００８２】
このように構成された第十実施形態の光触媒を用いた物品の老化防止輸送用容器によれば、箱本体１の内壁における、支持部材２の凹部２ａを隔てた上方に位置する面（図１１の例では、蓋部１ａの内側面）に配置されている光触媒照射光源４からの光を取り込む入射端面６ａを有する光ファイバー６と、光ファイバー６の出射端面６ｂから出射された光を拡散する拡散板８とを、第２の支持部材５を構成する肉薄の透明な多孔質部材と光触媒照射光源４との間に備えたので、光ファイバー６を介して光触媒照射光源４からの光を光ファイバー６を介して効率よく集光し、集光した光を拡散板８を介して光触媒粒子が配置される生鮮食品１０の上部近傍に均等に照射することができる。
【００８３】
図１１に示したような箱本体１が比較的大きな深さを持つ場合、光触媒照射光源４からの光を周囲に照射するようにしたのでは、光量のロスが大きく、光強度が弱くなって、光触媒作用を十分に発揮させることができない場合がある。
しかるに、第十実施形態の光触媒を用いた物品の老化防止輸送用容器によれば、光ファイバー６を介して、光量のロスを減少させて光触媒粒子が配置されている領域近傍に光を導くことができ、さらに拡散板８を介して光触媒粒子が配置されている領域に向けて均等に光を照射することができる。
このため、第十実施形態の光触媒を用いた物品の老化防止輸送用容器によれば、箱本体１が比較的大きな深さを持っていても、光触媒作用を効率的に発揮させることができ、生鮮食品１０の上部近傍における、光触媒粒子によるエチレンガス等の分解・除去を効率的に行うことができる。
【００８４】
第十一実施形態
図１２は本考案の第十一実施形態にかかる光触媒を用いた物品の老化防止輸送用容器を示す図であり、容器の蓋部を閉じた状態において図１(b)のＡ−Ａ線に相当する位置の線で切ったときの断面図である。なお、図１２では便宜上、蓋部における箱本体内部への開閉部（図１(a)における符号１ｃで示す部位に相当する部位）は省略して示してある。
第十一実施形態の光触媒を用いた物品の老化防止輸送用容器は、光触媒照射光源からの光を拡散する拡散板８を、第２の支持部材を構成する肉薄の透明な多孔質部材と光触媒照射光源４との間に備えており、光触媒照射光源４からの光が、直接拡散板８に入射するように構成されている。
また、箱本体１の内壁の上面（図１２の例では、蓋部１ａの内側面）と、箱本体１の内壁の側面１ｂにおける、拡散板８より上側の部位には、反射膜９が蒸着されている。
その他の構成は、図１１に示した第十実施形態の光触媒を用いた物品の老化防止輸送用容器とほぼ同じである。
【００８５】
第十一実施形態の光触媒を用いた物品の老化防止輸送用容器は、箱本体１の深さがそれほど大きくない場合におけるものである。この場合は、図１１に示した第十実施形態のように、光ファイバー６を設けなくても、それほど大きく光量をロスすることなく、光触媒照射光源４からの光を拡散板８に導くことができる。また、拡散板８に直接向かわない光は、箱本体１の内壁の上面（図１２の例では、蓋部１ａの内側面）と、箱本体１の内壁の側面１ｂにおける、拡散板８より上側の部位に蒸着された反射膜９を介して反射させられて、拡散板８に導かれる。そして、拡散板８を介して光触媒粒子が配置されている領域に向けて均等に光が照射される。
このため、第十一実施形態の光触媒を用いた物品の老化防止輸送用容器によれば、光触媒作用を効率的に発揮させることができ、生鮮食品１０の上部近傍における、光触媒粒子によるエチレンガス等の分解・除去を効率的に行うことができる。
【００８６】
第十二実施形態
図１３は本考案の第十二実施形態にかかる光触媒を用いた物品の老化防止輸送用容器を示す図であり、容器の蓋部を閉じた状態において図１(b)のＡ−Ａ線に相当する位置の線で切ったときの断面図である。なお、図１３では便宜上、蓋部における箱本体内部への開閉部（図１(a)における符号１ｃで示す部位に相当する部位）は省略して示してある。
第十二実施形態の光触媒を用いた物品の老化防止輸送用容器は、図５に示した第六実施形態の光触媒を用いた物品の老化防止輸送用容器の構成における、箱本体１の内壁の上面（図１３の例では、蓋部１ａの内側面）と、箱本体１の内壁の側面１ｂにおける、支持部材２の凹部２ａよりも上側の部位に、反射膜９が蒸着されており、被覆光触媒粒子を担持した、微細孔構造を備えた多孔質物質としての炭の粒子３は、その反射膜９が蒸着された面に担持されている。その他の構成は、図５に示した第六実施形態の光触媒を用いた物品の老化防止輸送用容器の構成とほぼ同じである。
【００８７】
このように構成された第十二実施形態の光触媒を用いた物品の老化防止輸送用容器によれば、図５に示した第六実施形態の光触媒を用いた物品の老化防止輸送用容器の作用効果に加えて、光触媒照射光源４から出射した光のうち、光触媒粒子に照射されないで反射膜９に入射した光が反射膜９を介して、第２の支持部材５に向けて導かれ、第２の支持部材５に備わる光触媒粒子を照射する。
このため、第十二実施形態の光触媒を用いた物品の老化防止輸送用容器によれば、光量ロスが極力生じないようにして、より一層、光触媒作用を効率的に発揮させることができ、生鮮食品１０の上部近傍における、光触媒粒子によるエチレンガス等の分解・除去を効率的に行うことができる。
【００８８】
第十三実施形態
図１４は本考案の第十三実施形態にかかる光触媒を用いた物品の老化防止輸送用容器を示す図であり、容器の蓋部を開いた状態において図１(b)のＡ−Ａ線に相当する位置の線で切ったときの断面図である。なお、図１４では便宜上、蓋部は一部省略して示してある。
第十三実施形態の光触媒を用いた物品の老化防止輸送用容器は、第２の支持部材５と光触媒照射光源４とが、箱本体１に対して着脱可能な一ユニット１１として一体的に構成されている。箱本体１は、光触媒照射光源４も被覆光触媒を担持した、微細孔構造を備えた多孔質物質としての炭の粒子３も備えていない、従来一般に用いられている箱で構成されている。また、支持部材２も被覆光触媒を担持した炭の粒子３も備えていない、従来一般に用いられている支持部材で構成されている。
ユニット１１における第２の支持部材５は、プチトマトなどの生鮮食品１０を上方から固定する第２の凹部５ａを有し、且つ、箱本体１に密着した状態で収納されるように形成された中空で肉薄の透明な多孔質部材で構成されている。
光触媒照射光源４は、第２の支持部材５の内壁における上面に設けられている。また、被覆光触媒粒子を担持した、微細孔構造を備えた多孔質物質としての炭の粒子３は、第２の支持部材５の内壁における光触媒照射光源４が配置されている以外の部位と、第２の支持部材５の外壁における第２の凹部５ａが形成されている側の面に担持されている。
さらに、第２の支持部材５の外壁における第２の凹部５ａが形成されている側の面以外の面には、反射膜９が蒸着されている。
【００８９】
このように構成された第十三実施形態の光触媒を用いた物品の老化防止輸送用容器では、箱本体１の内部に収納された支持部材２の凹部２ａに固定されている生鮮食品１０に対して、第２の支持部材５の凹部５ａで上方から固定するようにユニット１１を箱本体１に挿し込んだ後、蓋部１ａを閉める。
そして、光触媒照射光源４から所定波長の光を生鮮食品１０側に向けて照射する。このとき、生鮮食品１０の近傍（凹部５ａ近傍）、上方（第２の支持部材５の内壁における上面）及び側方（第２の支持部材５の内壁における側面）に備えられた炭の粒子３に担持された光触媒粒子が照射されて光触媒作用を発揮し、生鮮食品１０の上部近傍においてエチレンガス等を分解・除去する。また、炭の粒子による蒸発する水分の吸着作用を発揮させることができる。
このため、第十三実施形態の光触媒を用いた物品の老化防止輸送用容器によれば、図１及び図２に示した第一実施形態の光触媒を用いた物品の老化防止輸送用容器と同様に、生鮮食品１０の鮮度を長期間維持することができる。
【００９０】
加えて、第十三実施形態の光触媒を用いた物品の老化防止輸送用容器では、第２の支持部材５の外壁における第２の凹部５ａが形成されている側の面以外の面に、反射膜９を備えたので、光触媒照射光源４から出射した光のうち、光触媒粒子に照射されないで反射膜９に入射した光が反射膜９を介して、第２の凹部５ａに向けて導かれ、第２の凹部５ａ近傍に備わる光触媒粒子を照射する。
このため、第十三実施形態の光触媒を用いた物品の老化防止輸送用容器によれば、光量ロスが極力生じないようにして、より一層、光触媒作用を効率的に発揮させることができ、生鮮食品１０の上部近傍における、光触媒粒子によるエチレンガス等の分解・除去を効率的に行うことができる。
【００９１】
しかも、第十三実施形態の光触媒を用いた物品の老化防止輸送用容器は、第２の支持部材５と光触媒照射光源４とを、箱本体１に対して着脱可能な一ユニット１１として一体的に構成したので、箱本体１や支持部材２として、従来一般に製造されている既存の箱をそのまま用いることができ、製造コストを極力抑えることができる。
【００９２】
以上、本考案の光触媒を用いた物品の老化防止輸送用容器について、いくつかの実施形態を例示したが、本考案の光触媒を用いた物品の老化防止輸送用容器は、上記各実施形態の構成に限定されるものではない。
例えば、上記各実施形態の光触媒を用いた物品の老化防止輸送用容器において、支持部材２を、例えば、プチトマトなどの生鮮食品１０を下方から固定する凹部２ａを有し、且つ、箱本体１に密着した状態で収納されるように形成された中空で肉薄の透明な多孔質部材（例えば、多孔質プラスチック成形体）で構成してもよい。
そして、そのように構成した場合には、図４、図７〜図９に示した第三、第六〜第八実施形態の光触媒を用いた物品の老化防止輸送用容器のように光触媒照明光源４が箱本体１の内壁における、支持部材２の凹部２ａを隔てた下方に位置する面にも配置し、被覆光触媒粒子を担持した、微細孔構造を備えた多孔質物質としての炭の粒子３を、支持部材２における箱本体１の内壁と接する面以外の表面に担持するとよい。このようにすれば、図４、図７〜図９に示した第三、第六〜第八実施形態の光触媒を用いた物品の老化防止輸送用容器と同様の作用効果が得られる。
【００９３】
また、本考案の上記各実施形態の光触媒を用いた物品の老化防止輸送用容器における夫々の支持部材２、第２の支持部材５の構成を任意に組み合わせて、光触媒を用いた物品の老化防止輸送用容器を構成してもよい。
また、本考案の上記各実施形態の光触媒を用いた物品の老化防止輸送用容器においては、光触媒照射光源４を、図示省略した制御回路を介してＬＥＤ４ａが点滅するように構成してもよい。
【００９４】
また、本考案の上記各実施形態の光触媒を用いた物品の老化防止輸送用容器においては、光触媒照射光源４を、箱本体１に支持されるプチトマトなどの農作物に対して所定のビタミンを増加させることのできる特定波長の光に切り替えて農作物を照射可能となるように、図示省略した制御回路及びＬＥＤ４ａを備えて構成してもよい。
例えば、ビタミンＡとしての効果を示すβカロチンの含有量を増加させるためには、赤色光（波長範囲：６２０〜７６０ｎｍ）と、青色光（波長範囲：４００〜４８０ｎｍ）を同時に照射するようにするとよい。また、例えば、ビタミンＣを増加させるためには、紫外光（波長範囲：２５０〜４００ｎｍ）を照射するとよい。
一方、光触媒作用を効果的に発揮する波長としては、紫外光が望ましい。また、光を必要以上に農作物に照射すると、農作物の熟成が促進されてしまうことになる。このため、所定のビタミンを増加させることのできる特定波長の光に切り替える場合には、図示省略した制御回路を介して照射時間を制御すればよい。
【００９５】
また、上記各実施形態の光触媒を用いた物品の老化防止輸送用容器では、箱本体１の内壁、支持部材２又は第２の支持部材５、における所定の面への被覆光触媒粒子を担持した、微細孔構造を備えた多孔質物質としての炭の粒子３の担持は、被覆光触媒粒子を担持した炭の粒子３のコーティング液を塗布することによって行うようにしたが、例えば、被覆光触媒粒子を担持した炭の粒子３を備えてなるシートを、これらの面に貼り付けてもよい。そのようなシートは、例えば、不織布に被覆光触媒粒子を担持した炭の粒子３を挟み込む、埋め込む等して作製できる。また、炭の代わりに、ゼオライトや活性炭を用いてもよい。
また、被覆光触媒粒子を担持した、微細孔構造を備えた多孔質物質としての炭の粒子３を備えてなるシートを、箱本体１の内壁、支持部材２又は第２の支持部材５、における所定の面へ着脱可能に構成してもよい。
【００９６】
また、上記各実施形態の光触媒を用いた物品の老化防止輸送用容器では、箱本体１の内壁、支持部材２又は第２の支持部材５、における所定の面に、被覆光触媒粒子を担持した、微細孔構造を備えた多孔質物質としての炭の粒子３を担持させて構成したが、蒸発する水分の量が少ない物品を収納対象とする場合には、被覆光触媒粒子を直接、担持させて構成してもよい。
【００９７】
その他、本考案の光触媒を用いた物品の老化防止輸送用容器は、上述した各実施形態における箱本体１、支持部材２、第２の支持部材５の少なくとも一つを、例えば、ポリ乳酸、乳酸と他のヒドロキシカルボン酸のコポリマー、キトサン、やし殻、樹皮等を主成分とする生分解性プラスチックで構成するのが好ましい。このようにすれば、後に廃棄処分するような場合に、焼却する必要がなく、自然に土中で分解できる。このため、環境汚染防止やエネルギーの節減に貢献できる。
【００９８】
また、本考案の光触媒を用いた物品の老化防止輸送用容器は、上述した各実施形態における少なくとも一部（好ましくは全部）の光触媒照射光源４を、箱本体１に対し着脱可能に構成してもよい。例えば、光触媒照射光源４の裏面と箱本体１における光触媒照射光源４の取り付け面とを互いに、いわゆるマジックテープ（登録商標）状に構成することができる。又は、光触媒照射光源４の裏面と箱本体１における光触媒照射光源４の取り付け面とを互いの端部に、ファスナーやボタン等で着脱可能に構成してもよい。さらには、箱本体１における光触媒照射光源４の取り付け面に、光触媒照射光源４を収納するためのフックを対向配置し、そのフックの間に光触媒照射光源４を収納するようにしてもよい。
このようにすれば、箱本体１の内部に収納される物品の個数及び配置や、用途等に応じて、光触媒作用を有効に発揮させるために必要な個数分の光触媒照射光源４を配置することができ、光触媒照射光源のコストパフォーマンスを向上させ、且つ、効率よく光触媒作用の効果を発揮させることができる。
【００９９】
また、本考案の光触媒を用いた物品の老化防止輸送用容器は、上述した各実施形態における箱本体１が、少なくとも一部（好ましくは全部）の光触媒照射光源４の取り付け位置を調整可能な取り付け位置調整手段を備えるように構成してもよい。例えば、箱本体１にガイドレールを設けるとともに、光触媒照射光源４の裏面を、該ガイドレールに沿って移動可能なスライド部を設けることができる。
このようにしても、箱本体１の内部に収納される物品の個数及び配置や、用途等に応じて、光触媒作用を有効に発揮させるために最適な位置に光触媒照射光源４を配置することができ、効率よく光触媒作用の効果を発揮させることができる。
【０１００】
また、上記各実施形態の光触媒を用いた物品の老化防止輸送用容器では、プチトマトなどの生鮮食品を収納する場合について説明したが、本考案の光触媒を用いた物品の老化防止輸送用容器は、野菜や果物などの生鮮食品の他にも、衣料品の収納に用いても有用である。そのようにした場合には、光触媒作用により衣料品への付着を好む虫や菌を除去することができ、衣料品を清潔で良好な状態に保つことができる。
【産業上の利用可能性】
【０１０１】
本考案は、例えば、野菜や果物等の生鮮食品の品質を保持しながら保管・運搬するための容器を取り扱う業界において有用である。
【図面の簡単な説明】
【０１０２】
【図１】本考案の第一実施形態にかかる光触媒を用いた物品の老化防止輸送用容器を示す図であり、(a)は斜視図、(b)は(a)の容器の箱本体の内部に備わる支持部材を上から見た説明図、(c)は(b)に示した支持部材の斜視図、(d)は(a)の容器の箱本体における蓋部の内側を見た説明図である。
【図２】図１に示した容器の蓋部を閉じた状態において図１(b)のＡ−Ａ線で切った断面図である。
【図３】本考案の第二実施形態にかかる光触媒を用いた物品の老化防止輸送用容器を示す図であり、容器の蓋部を閉じた状態において図１(b)のＡ−Ａ線に相当する位置の線で切った断面図である。
【図４】本考案の第三実施形態にかかる光触媒を用いた物品の老化防止輸送用容器を示す図であり、容器の蓋部を閉じた状態において図１(b)のＡ−Ａ線に相当する位置の線で切った断面図である。
【図５】本考案の第四実施形態にかかる光触媒を用いた物品の老化防止輸送用容器を示す図であり、容器の蓋部を閉じた状態において図１(b)のＡ−Ａ線に相当する位置の線で切った断面図である。
【図６】本考案の第五実施形態にかかる光触媒を用いた物品の老化防止輸送用容器を示す図であり、容器の蓋部を閉じた状態において図１(b)のＡ−Ａ線に相当する位置の線で切った断面図である。
【図７】本考案の第六実施形態にかかる光触媒を用いた物品の老化防止輸送用容器を示す図であり、容器の蓋部を閉じた状態において図１(b)のＡ−Ａ線に相当する位置の線で切った断面図である。
【図８】本考案の第七実施形態にかかる光触媒を用いた物品の老化防止輸送用容器を示す図であり、容器の蓋部を閉じた状態において図１(b)のＡ−Ａ線に相当する位置の線で切った断面図である。
【図９】本考案の第八実施形態にかかる光触媒を用いた物品の老化防止輸送用容器を示す図であり、容器の蓋部を閉じた状態において図１(b)のＡ−Ａ線に相当する位置の線で切った断面図である。
【図１０】本考案の第九実施形態にかかる光触媒を用いた物品の老化防止輸送用容器を示す図であり、容器の蓋部を閉じた状態において図１(b)のＡ−Ａ線に相当する位置の線で切った断面図である。
【図１１】本考案の第十実施形態にかかる光触媒を用いた物品の老化防止輸送用容器を示す図であり、容器の蓋部を閉じた状態において図１(b)のＡ−Ａ線に相当する位置の線で切った断面図である。
【図１２】本考案の第十一実施形態にかかる光触媒を用いた物品の老化防止輸送用容器を示す図であり、容器の蓋部を閉じた状態において図１(b)のＡ−Ａ線に相当する位置の線で切った断面図である。
【図１３】本考案の第十二実施形態にかかる光触媒を用いた物品の老化防止輸送用容器を示す図であり、容器の蓋部を閉じた状態において図１(b)のＡ−Ａ線に相当する位置の線で切った断面図である。
【図１４】本考案の第十三実施形態にかかる光触媒を用いた物品の老化防止輸送用容器を示す図であり、容器の蓋部を開いた状態において図１(b)のＡ−Ａ線に相当する位置の線で切ったときの断面図である。
【符号の説明】
【０１０３】
１        箱本体
１ａ      蓋部
１ｂ      箱本体１の内壁の側面
１ｃ      開閉部
２        支持部材
２ａ      凹部
３        被覆光触媒粒子を担持した、微細孔構造を備えた多孔質物質（炭の粒子）
４        光触媒照射光源
４ａ      ＬＥＤ
５        第２の支持部材
５ａ      第２の凹部
５ｂ      周縁部の端面
６        光ファイバー
７        メッシュ状部材
８        拡散板
９        反射膜
１０      プチトマトなどの生鮮食品
【図１】
0003115187.tif 000003
【図２】
0003115187.tif 000004
【図３】
0003115187.tif 000005
【図４】
0003115187.tif 000006
【図５】
0003115187.tif 000007
【図６】
0003115187.tif 000008
【図７】
0003115187.tif 000009
【図８】
0003115187.tif 000010
【図９】
0003115187.tif 000011
【図１０】
0003115187.tif 000012
【図１１】
0003115187.tif 000013
【図１２】
0003115187.tif 000014
【図１３】
0003115187.tif 000015
【図１４】
0003115187.tif 000016